(57)【要約】【課題】ベローズに水槽の開口部とは反対側に膨出する振動吸収部を有する構成であっても、その振動吸収部に洗濯物が入り込むことを防止することができるドラム式洗濯機を提供する。【解決手段】本実施形態に係るドラム式洗濯機によれば、前面に洗濯物出入口を有する筐体と、前記筐体内に弾性的に支持されており、前面に開口部を有する水槽と、前記水槽内に回転可能に設けられ、洗濯物が収容されるドラムと、前記洗濯物出入口と前記水槽の開口部との間を水密に接続する円筒状のベローズと、を備え、前記ベローズは、前記水槽の開口部とは反対側に膨出する振動吸収部を有し、前記振動吸収部と前記水槽の開口部との間に、前記ドラムの回転軸に対して傾斜する傾斜部を有する。【選択図】図１
2017209416.tif 000002
【特許請求の範囲】
【請求項１】
前面に洗濯物出入口を有する筐体と、
前記筐体内に弾性的に支持されており、前面に開口部を有する水槽と、
前記水槽内に回転可能に設けられ、洗濯物が収容されるドラムと、
前記洗濯物出入口と前記水槽の開口部との間を水密に接続する円筒状のベローズと、を備え、
前記ベローズは、前記水槽の開口部とは反対側に膨出する振動吸収部を有し、前記振動吸収部と前記水槽の開口部との間に、前記ドラムの回転軸に対して傾斜する傾斜部を有するドラム式洗濯機。
【請求項２】
前記傾斜部は、前記ベローズの円筒面から突出するリブである請求項１に記載のドラム式洗濯機。
【請求項３】
前記傾斜部は、前記ベローズの円筒面により構成されている請求項１または２に記載のドラム式洗濯機。
【請求項４】
前記洗濯物出入口を開閉する扉を備え、
前記傾斜部は、前記扉が前記洗濯物出入口を閉じた状態において当該扉により押圧される被押圧部を有し、前記被押圧部が前記扉により押圧されることにより、前記ドラムの回転軸に対して前記ベローズの外周方向に傾斜するように変形する請求項１から３の何れか１項に記載のドラム式洗濯機。
【請求項５】
前記傾斜部は、前記ベローズの下側部分に設けられている請求項１から４の何れか１項に記載のドラム式洗濯機。
【請求項６】
前記傾斜部は、前記筐体の後方に向かって傾斜している請求項１から５の何れか１項に記載のドラム式洗濯機。
【請求項７】
前記水槽内に水が投入されておらず、且つ、前記ドラム内に洗濯物が投入されていない無負荷状態において、前記ベローズの円筒面と前記水槽の開口部の内周面は面一となる請求項１から６の何れか１項に記載のドラム式洗濯機。
【請求項８】
前記無負荷状態において、前記傾斜部は、前記水槽から離間する請求項７に記載のドラム式洗濯機。
【請求項９】
前記水槽内の水量および前記ドラム内の洗濯物量が多くなることに伴い、前記傾斜部の先端部が前記水槽の開口部の内周面よりも高い状態となる請求項７または８に記載のドラム式洗濯機。
【発明の詳細な説明】
【技術分野】
【０００１】
本発明の実施形態は、ドラム式洗濯機に関する。
【背景技術】
【０００２】
例えば特許文献１に開示されているように、ドラム式洗濯機は、筐体の前面に設けられた洗濯物出入口と水槽の前面に設けられた開口部との間を、円筒状のベローズにより水密に接続した構成となっている。
【先行技術文献】
【特許文献】
【０００３】
【特許文献１】特許第５４８６８７１号公報
【発明の概要】
【発明が解決しようとする課題】
【０００４】
ところで、ドラム式洗濯機に備えられるベローズは、運転時における水槽の振動に追従するために、弾性変形可能な振動吸収部を有する構成となっている。しかし、この振動吸収部が水槽の開口部とは反対側に膨出するように設けられている構成では、当該振動吸収部が水槽の開口部とは反対側に膨らむポケット状をなすため、小さな洗濯物が、そのポケット状の振動吸収部に入り込んでしまうおそれがある。
【０００５】
そこで、ベローズに水槽の開口部とは反対側に膨出する振動吸収部を有する構成であっても、その振動吸収部に洗濯物が入り込むことを防止することができるドラム式洗濯機を提供する。
【課題を解決するための手段】
【０００６】
本実施形態に係るドラム式洗濯機は、筐体、水槽、ドラム、円筒状のベローズを備える。筐体は、前面に洗濯物出入口を有する。水槽は、筐体内に弾性的に支持されており、前面に開口部を有する。ドラムは、水槽内に回転可能に設けられ、洗濯物が収容される。ベローズは、洗濯物出入口と水槽の開口部との間を水密に接続する。そして、ベローズは、水槽の開口部とは反対側に膨出する振動吸収部を有しており、振動吸収部と水槽の開口部との間に、ドラムの回転軸に対して傾斜する傾斜部を有する。
【図面の簡単な説明】
【０００７】
【図１】本実施形態に係るドラム式洗濯機の構成例を概略的に示す縦断側面図
【図２】第１実施形態に係るベローズの構成例を概略的に示す斜視図
【図３】無負荷状態におけるベローズの周辺部分を拡大して示す縦断側面図
【図４】小負荷状態におけるベローズの周辺部分を拡大して示す縦断側面図
【図５】中負荷状態におけるベローズの周辺部分を拡大して示す縦断側面図
【図６】大負荷状態におけるベローズの周辺部分を拡大して示す縦断側面図
【図７】第２実施形態に係るものであり、無負荷状態におけるベローズの周辺部分を拡大して示す縦断側面図
【図８】大負荷状態におけるベローズの周辺部分を拡大して示す縦断側面図
【図９】第３実施形態に係るものであり、扉が開かれた状態におけるベローズの周辺部分を拡大して示す縦断側面図
【図１０】扉が閉じられた状態であって無負荷状態におけるベローズの周辺部分を拡大して示す縦断側面図
【図１１】扉が閉じられた状態であって大負荷状態におけるベローズの周辺部分を拡大して示す縦断側面図
【発明を実施するための形態】
【０００８】
以下、ドラム式洗濯機に係る複数の実施形態について図面を参照しながら説明する。なお、各実施形態において実質的に同一の要素には同一の符号を付し、説明を省略する。
（第１実施形態）
図１に例示するドラム式洗濯機１０は、外郭を構成する筐体１１の前面の中央部に、洗濯物を出し入れするための洗濯物出入口１２を備えている。以下、ドラム式洗濯機１０を、単に「洗濯機１０」と称する。洗濯物出入口１２は、円形に開口しており、同じく円形の扉１３により開閉される。筐体１１の内部には、水が溜められる有底円筒状の水槽１４が設けられている。水槽１４の前面には、水槽カバー１５が設けられている。水槽カバー１５の中央部には、円形に開口する開口部１６が設けられている。水槽１４は、当該水槽１４の底部の左右に設けられた一対のサスペンション１７により弾性的に支持されている。水槽１４の内部には、ドラム１８が回転可能に設けられている。ドラム１８の回転軸１８Ｒは、洗濯機１０の前後方向、つまり、奥行方向に沿って、後面側が前面側よりも低くなるように傾斜している。ドラム１８は、水槽１４の後面に設けられた駆動モータ１９により回転される。
【０００９】
洗濯物出入口１２と水槽１４の開口部１６は、円筒状のベローズ２０により水密に接続されている。ベローズ２０は、例えばエチレン−プロピレンゴムなどの弾性材料で構成されており、伸縮性を有する。ベローズ２０は、洗濯物出入口１２と水槽１４の開口部１６との間を水密状態に維持する防水機能、および、運転時における振動が水槽１４から筐体１１に伝達することを抑制する防振機能を有する。
【００１０】
即ち、ベローズ２０は、振動吸収部２１を有する。振動吸収部２１は、ベローズ２０の円筒面２０ａの外側において水槽１４の開口部１６とは反対側、この場合、洗濯機１０の前側に向かって膨出しており、ベローズ２０の周方向に直交する断面がポケット状に湾曲した形状となっており、運転時における水槽１４の振動に追従して弾性変形可能となっている。この振動吸収部２１が弾性変形することにより運転時における水槽１４の振動が吸収され、これにより、上述した防水機能および防振機能が発揮されるようになっている。
【００１１】
ここで、運転時においては、洗濯物がドラム１８内で攪拌されており、ベローズ２０の円筒面２０ａの後端部と水槽１４の開口部１６の前端部との間の隙間Ｇに洗濯物が到達する場合がある。このとき、例えば子供用の靴下などの比較的小さな洗濯物ついては、隙間Ｇからポケット状の振動吸収部２１内に入り込みやすい。そのため、従来では、この隙間Ｇを極力小さくするように設計することにより、振動吸収部２１内への洗濯物の入り込みを抑えるようにしていた。しかし、隙間Ｇを小さくすると、ベローズ２０の円筒面２０ａが水槽１４の開口部１６に接触して摩耗することが懸念される。そのため、隙間Ｇを小さくする対応には限界がある。
【００１２】
また、水槽１４内の水量およびドラム１８内の洗濯物量が多くなることに伴い水槽１４が沈み込み、これにより、洗濯物出入口１２に対して水槽１４の開口部１６が下方にずれる。そして、水槽１４が沈み込むことにより隙間Ｇがさらに大きくなるため、振動吸収部２１に洗濯物がより入り込みやすくなる。
【００１３】
そこで、本実施形態では、ベローズ２０は、振動吸収部２１と水槽１４の開口部１６との間において、振動吸収部２１に対向する位置、つまり、隙間Ｇが形成される部分にリブ２２を設けている。リブ２２は、傾斜部の一例であり、この場合、ベローズ２０の円筒面２０ａの後端部から当該円筒面２０ａの外周側に向かって突出している。また、リブ２２は、ドラム１８の回転軸１８Ｒに対して傾斜する方向に向かって突出している。また、リブ２２は、筐体１１の後方下部に向かって傾斜している。また、リブ２２は、基端部、つまり、ベローズ２０の円筒面２０ａ側ほど肉厚が厚くなっている。また、図２に例示するように、リブ２２は、ベローズ２０の下側部分および側方部分に設けられており、ベローズ２０の上側部分には設けられていない。
【００１４】
図３に例示する状態は、水槽１４内に水が投入されておらず、且つ、ドラム１８内に洗濯物が投入されていない無負荷状態を示している。この無負荷状態においては、ベローズ２０の円筒面２０ａと水槽１４の開口部１６の内周面１６ａは、面一な状態となる。このとき、リブ２２は、その全部が、水槽１４の開口部１６の内周面１６ａよりも低い位置にあり、隙間Ｇ内に格納された状態となる。
【００１５】
図４に例示する状態は、水槽１４内の水量が少量であり、また、ドラム１８内の洗濯物量が少量である小負荷状態を示している。この小負荷状態においては、水槽１４内およびドラム１８内の負荷により、水槽１４が無負荷状態に比べ下方に沈み込む。このとき、リブ２２は、その一部、この場合、上部が、水槽１４の開口部１６の内周面１６ａよりも高い位置にあり、隙間Ｇ内から飛び出した状態となる。
【００１６】
図５に例示する状態は、水槽１４内の水量が中量であり、また、ドラム１８内の洗濯物量が中量である中負荷状態を示している。この中負荷状態においては、水槽１４内およびドラム１８内の負荷により、水槽１４が小負荷状態に比べさらに下方に沈み込む。このとき、リブ２２は、その一部、この場合、上部および中部が、水槽１４の開口部１６の内周面１６ａよりも高い位置にあり、隙間Ｇ内から飛び出した状態となる。
【００１７】
図６に例示する状態は、水槽１４内の水量が大量であり、また、ドラム１８内の洗濯物量が大量である大負荷状態を示している。この大負荷状態においては、水槽１４内およびドラム１８内の負荷により、水槽１４が中負荷状態に比べさらに下方に沈み込む。このとき、リブ２２は、その全部が、水槽１４の開口部１６の内周面１６ａよりも高い位置にあり、隙間Ｇ内から飛び出した状態となる。即ち、水槽１４内の水量およびドラム１８内の洗濯物量が多くなることに伴い、リブ２２の先端部つまり下端部が水槽１４の開口部１６の内周面１６ａよりも高い位置にある状態となる。
【００１８】
また、洗濯機１０は、リブ２２の先端部が水槽１４の開口部１６の前面１６ｂに最も接近する無負荷状態においても、リブ２２が水槽１４の開口部１６の前面１６ｂから離間する構成となっている。そして、小負荷状態、中負荷状態、大負荷状態においては、リブ２２の先端部が水槽１４の開口部１６の前面１６ｂから徐々に離れていくので、何れの負荷状態においても、リブ２２は、水槽１４の開口部１６の前面１６ｂから離間する。
【００１９】
なお、上述した大負荷状態は、例えば定格負荷が水槽１４およびドラム１８にかけられている状態である。ここでいう定格負荷は、ＪＩＳなどにより規定されている定格容量の衣類がドラム１８内に投入され、その定格容量の衣類を洗うための標準的な水量が水槽１４内に投入されているときにかかる負荷である。一例を示すと、洗濯運転時であれば、例えば洗濯物量が９キログラム、水量が３０リットルであるときかかる負荷が定格負荷である。そして、小負荷状態および中負荷状態は、上述した無負荷状態と大負荷状態との間において、小レベルの負荷がかかっている状態および中レベルの負荷がかかっている状態をそれぞれ適宜設定することができる。
【００２０】
本実施形態に係る洗濯機１０によれば、ベローズ２０は、振動吸収部２１と水槽１４の開口部１６との間においてポケット状の振動吸収部２１に対向する位置に、ドラム１８の回転軸１８Ｒに対して傾斜するリブ２２を有する。このリブ２２は、ベローズ２０の円筒面２０ａから外側に向かって突出する。この構成によれば、振動吸収部２１の開口部分、つまり、隙間Ｇが形成される部分をリブ２２により塞ぐことができ、振動吸収部２１に洗濯物が入り込むことをリブ２２により防止することができる。
【００２１】
また、洗濯機１０によれば、リブ２２は、ベローズ２０の下側部分および側方部分に設けられており、上側部分には設けられていない。即ち、ドラム１８内の洗濯物がベローズ２０の上側部分の振動吸収部２１に到達するおそれは殆ど無く、よって、洗濯物が上側の振動吸収部２１に入り込むおそれも殆ど無い。よって、ベローズ２０の上側部分にリブ２２を設ける必要性は殆ど無く、従って、ベローズ２０の下側部分および側方部分にリブ２２を設けることで、振動吸収部２１内への洗濯物の入り込みを十分に防止することができる。なお、ベローズ２０は、下側部分のみにリブ２２を備える構成としてもよい。即ち、振動吸収部２１内への洗濯物の入り込みが最も懸念される部位は、ベローズ２０の下側部分である。そのため、少なくともベローズ２０の下側部分にリブ２２を設けることで、振動吸収部２１内への洗濯物の入り込みを十分に防止することができる。
【００２２】
また、洗濯機１０によれば、リブ２２は、筐体１１の後方下部に向かって傾斜している。即ち、水槽１４は、負荷が掛けられると、下方に下がりつつ後方へも移動する。そのため、リブ２２を筐体１１の後方下部に向かって、つまり、負荷が掛けられたときに水槽１４が移動する方向に向かって傾斜させることにより、リブ２２が隙間Ｇを塞ぎやすくなり、振動吸収部２１内への洗濯物の入り込みを一層効果的に防止することができる。
【００２３】
また、洗濯機１０によれば、水槽１４内に水が投入されておらず、且つ、ドラム１８内に洗濯物が投入されていない無負荷状態において、ベローズ２０の円筒面２０ａと水槽１４の開口部１６の内周面１６ａは、面一な状態となる。この構成によれば、運転開始前あるいは運転完了後における無負荷状態においてユーザが扉１３を開いて洗濯物を出し入れする際に、洗濯物出入口１２とドラム１８との間に面一な内周面を有する開口を形成することができ、見栄えを良くすることができる。また、ユーザは、面一な内周面を有する開口を通して、洗濯物の出し入れを円滑に行うことができる。
【００２４】
また、洗濯機１０によれば、無負荷状態において、リブ２２は、水槽１４から離間する構成となっている。また、小負荷状態、中負荷状態、大負荷状態においても、リブ２２は、水槽１４から離間する構成となっている。よって、何れの負荷状態においても、リブ２２が水槽１４に接触することを防止することができ、水槽１４にかけられる負荷の大きさに関わらず、リブ２２の摩耗を防止することができる。
【００２５】
また、洗濯機１０によれば、水槽１４内の水量およびドラム１８内の洗濯物量が多くなることに伴い、リブ２２の先端部が水槽１４の開口部１６の内周面１６ａよりも高い状態となる。この構成によれば、水槽１４内の水量およびドラム１８内の洗濯物量が多くなることに伴い水槽１４が沈み込んで隙間Ｇが大きく広がる状態において、当該隙間Ｇをリブ２２により確実に覆うことができ、振動吸収部２１内への洗濯物の入り込みを一層効果的に防止することができる。
【００２６】
（第２実施形態）
図７および図８に例示するベローズ４０は、当該ベローズ４０の円筒面４０ａ自体が、振動吸収部２１に対向する位置においてドラム１８の回転軸１８Ｒに対して傾斜しており、また、筐体１１の後方下部に向かって傾斜している。即ち、ベローズ４０は、円筒面４０ａ自体が傾斜部の一例として機能する構成である。本実施形態によっても、振動吸収部２１の開口部分、つまり、隙間Ｇが形成される部分をベローズ４０の円筒面４０ａにより塞ぐことができ、振動吸収部２１に洗濯物が入り込むことを円筒面４０ａにより防止することができる。
【００２７】
（第３実施形態）
図９に例示するベローズ５０は、円筒面５０ａの内周面に突出部５１を備える。突出部５１は、被押圧部の一例であり、この場合、円筒面５０ａの内周面からベローズ５０の径方向の内側に向かって突出している。また、突出部５１は、ベローズ５０の周方向に直交する断面が台形状となっている。なお、突出部５１の断面形状は、台形状に限られるものではなく、例えば断面矩形状、断面半円球状などであってもよい。
【００２８】
図１０および図１１に例示するように、突出部５１は、扉１３が洗濯物出入口１２を閉じた状態において当該扉１３により下方に押圧される。そして、このように突出部５１が扉１３により押圧されることにより、ベローズ５０の円筒面５０ａは、ドラム１８の回転軸１８Ｒに対してベローズ５０の外周方向に傾斜するように変形する。また、ベローズ５０の円筒面５０ａは、筐体１１の後方下部に向かって傾斜するように変形する。そして、このように傾斜するように変形したベローズ５０の円筒面５０ａは、振動吸収部２１に対向する位置において傾斜部の一例として機能する。
【００２９】
本実施形態によっても、振動吸収部２１の開口部分、つまり、隙間Ｇが形成される部分をベローズ５０の円筒面５０ａにより塞ぐことができ、振動吸収部２１に洗濯物が入り込むことを円筒面５０ａにより防止することができる。
【００３０】
以上に説明した複数の実施形態に係るドラム式洗濯機によれば、ベローズは、振動吸収部と水槽の開口部との間に、ドラムの回転軸に対して傾斜する傾斜部を有する。この構成によれば、振動吸収部の開口部分、つまり、隙間が形成される部分を傾斜部により塞ぐことができ、振動吸収部に洗濯物が入り込むことを傾斜部により防止することができる。
【００３１】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００３２】
図面中、１０はドラム式洗濯機、１１は筐体、１２は洗濯物出入口、１３は扉、１４は水槽、１６は水槽の開口部、１８はドラム、２０，４０，５０はベローズ、２１は振動吸収部、２２はリブ（傾斜部）、４０ａ，５０ａはベローズの円筒面（傾斜部）、５１は突出部（被押圧部）を示す。
【図１】
2017209416.tif 000003
【図２】
2017209416.tif 000004
【図３】
2017209416.tif 000005
【図４】
2017209416.tif 000006
【図５】
2017209416.tif 000007
【図６】
2017209416.tif 000008
【図７】
2017209416.tif 000009
【図８】
2017209416.tif 000010
【図９】
2017209416.tif 000011
【図１０】
2017209416.tif 000012
【図１１】
2017209416.tif 000013